(57)【要約】【課題】表示画像の画質劣化の抑制と表示パネルの温度増加の抑制とを両立できる技術を提供する。【解決手段】本発明の表示装置は、発光手段と、前記発光手段から発せられた光を表示画像データに基づいて透過することにより、画像を表示する表示手段と、前記表示手段の温度に関する温度情報を取得する取得手段と、前記温度情報に基づいて、対象画像データの代表輝度の閾値を決定する決定手段と、前記代表輝度が前記閾値よりも低い場合に、前記発光手段の発光輝度を設定輝度から低減する低減手段と、前記代表輝度が前記閾値よりも低い場合に、前記対象画像データの階調値を高めて前記表示画像データを生成する増加手段と、を有する。【選択図】図２
2019144307.tif 000002
【特許請求の範囲】
【請求項１】
発光手段と、
前記発光手段から発せられた光を表示画像データに基づいて透過することにより、画像を表示する表示手段と、
前記表示手段の温度に関する第１の温度情報を取得する第１の取得手段と、
前記第１の温度情報に基づいて、対象画像データの代表輝度の第１の閾値を決定する第１の決定手段と、
前記代表輝度が前記第１の閾値よりも低い場合に、前記発光手段の発光輝度を設定輝度から低減する低減手段と、
前記代表輝度が前記第１の閾値よりも低い場合に、前記対象画像データの階調値を高めて前記表示画像データを生成する増加手段と、
を有することを特徴とする表示装置。
【請求項２】
外光の輝度に関する輝度情報を取得する第２の取得手段、をさらに有し、
前記第１の決定手段は、前記輝度情報にさらに基づいて前記第１の閾値を決定する
ことを特徴とする請求項１に記載の表示装置。
【請求項３】
前記表示装置の外部環境の温度に関する第２の温度情報を取得する第３の取得手段、をさらに有し、
前記第１の決定手段は、前記第２の温度情報にさらに基づいて前記第１の閾値を決定する
ことを特徴とする請求項１または２に記載の表示装置。
【請求項４】
前記表示手段は、
前記発光手段から発せられた光を透過する第１の透過手段と、
前記発光手段から発せられて前記第１の透過手段を透過した光を透過することにより、画像を表示する第２の透過手段と、
を有する
ことを特徴とする請求項１〜３のいずれか１項に記載の表示装置。
【請求項５】
前記第１の透過手段は、前記発光手段から発せられた光を、第１の対象画像データに対応する第１の表示画像データに基づいて透過し、
前記第２の透過手段は、前記発光手段から発せられて前記第１の透過手段を透過した光を、第２の対象画像データに対応する第２の表示画像データに基づいて透過し、
前記増加手段は、前記第１の対象画像データと前記第２の対象画像データの少なくとも一方に対応する代表輝度が前記第１の閾値よりも低い場合に、
前記第１の対象画像データの階調値を高めて前記第１の表示画像データを生成する処理と、
前記第２の対象画像データの階調値を高めて前記第２の表示画像データを生成する処理と、
の少なくとも一方を行う
ことを特徴とする請求項４に記載の表示装置。
【請求項６】
前記第１の温度情報に基づいて、前記代表輝度の、前記第１の閾値よりも低い第２の閾値を決定する第２の決定手段、をさらに有し、
前記低減手段は、前記代表輝度が前記第２の閾値よりも低い場合に、前記発光手段の発光輝度を前記設定輝度から下限発光輝度へ低減する
ことを特徴とする請求項１〜５のいずれか１項に記載の表示装置。
【請求項７】
前記発光手段の発光輝度が前記設定輝度から低減されるタイミング以前のタイミングで、当該低減を許可するか否かをユーザに確認する確認手段、をさらに有する
ことを特徴とする請求項１〜６のいずれか１項に記載の表示装置。
【請求項８】
前記低減が許可されなかった場合に、前記表示手段の温度が前記表示手段の定格温度に達するまでの残り時間を前記ユーザに通知する通知手段、をさらに有する
ことを特徴とする請求項７に記載の表示装置。
【請求項９】
発光手段と、
前記発光手段から発せられた光を表示画像データに基づいて透過することにより、画像を表示する表示手段と、
を有する表示装置の制御方法であって、
前記表示手段の温度に関する温度情報を取得するステップと、
前記温度情報に基づいて、対象画像データの代表輝度の閾値を決定するステップと、
前記代表輝度が前記閾値よりも低い場合に、前記発光手段の発光輝度を設定輝度から低減するステップと、
前記代表輝度が前記閾値よりも低い場合に、前記対象画像データの階調値を高めて前記表示画像データを生成するステップと、
を有することを特徴とする制御方法。
【請求項１０】
請求項９に記載の制御方法の各ステップをコンピュータに実行させるためのプログラム。
【請求項１１】
請求項９に記載の制御方法の各ステップをコンピュータに実行させるためのプログラムを格納したコンピュータが読み取り可能な記憶媒体。
【発明の詳細な説明】
【技術分野】
【０００１】
本発明は、表示装置およびその制御方法に関する。
【背景技術】
【０００２】
表示装置に対して、表示画像（表示面に表示された画像）の忠実性向上が望まれている。具体的には、表示画像の明部と暗部の輝度比（コントラスト比；明暗比）の拡大、表示画像の明部から暗部への濃淡変化（階調）の正確性向上、等が望まれている。表示画像の階調数を増加させる技術として、重ね合った２枚の液晶パネルのそれぞれを個別に駆動する技術がある。上記２枚の液晶パネルを備えた表示装置は「二重液晶表示装置」などと呼ばれる。
【０００３】
しかしながら、従来の二重液晶表示装置では、バックライト部から発せられた光が２枚の液晶パネルを透過することを考慮して、バックライト部の発光輝度が、液晶パネルが１枚である場合よりも高い発光輝度（約２倍）に制御される。そのため、従来の二重液晶表示装置では、液晶パネルが１枚である場合よりも、バックライト部の消費電力や発熱量が大きく、各液晶パネルの温度が増加しやすい。
【０００４】
また、表示装置を屋外で使用する場合には、外光を考慮して表示輝度が高められることが多い。そのため、液晶表示装置を屋外で使用する場合に、液晶表示装置を屋内で使用する場合よりも、バックライト部の発光輝度が高く、各液晶パネルの温度が増加しやすいことが多い。
【０００５】
表示装置に関する従来技術は、例えば、特許文献１，２に開示されている。特許文献１に開示の技術では、表示装置の温度の増加に応じて、表示面全体に渡って表示輝度（表示面上の輝度；表示画像の輝度）が一律に低減される。特許文献２に開示の技術では、外光の輝度に応じて画像データの階調値が高められる。
【先行技術文献】
【特許文献】
【０００６】
【特許文献１】特開２０１２−１９８５４０号公報
【特許文献２】特開２０１３−１６４６００号公報
【発明の概要】
【発明が解決しようとする課題】
【０００７】
しかしながら、特許文献１に開示の技術では、表示面全体に渡って表示輝度が一律に低減されるため、画像データの階調値に依らず、忠実性（再現性）が非常に低い表示輝度が実現されてしまう（画質劣化）。特許文献２に開示の技術では、外光の輝度に応じて画像データの階調値が高められるが、バックライト部の発光輝度が一定であるため、バックライト部の発熱量を低減できず、液晶パネル（表示パネル）の温度増加を抑制できない。
【０００８】
本発明は、表示画像の画質劣化の抑制と表示パネルの温度増加の抑制とを両立できる技術を提供することを目的とする。
【課題を解決するための手段】
【０００９】
本発明の第１の態様は、
発光手段と、
前記発光手段から発せられた光を表示画像データに基づいて透過することにより、画像
を表示する表示手段と、
前記表示手段の温度に関する温度情報を取得する取得手段と、
前記温度情報に基づいて、対象画像データの代表輝度の閾値を決定する決定手段と、
前記代表輝度が前記閾値よりも低い場合に、前記発光手段の発光輝度を設定輝度から低減する低減手段と、
前記代表輝度が前記閾値よりも低い場合に、前記対象画像データの階調値を高めて前記表示画像データを生成する増加手段と、
を有することを特徴とする表示装置である。
【００１０】
本発明の第２の態様は、
発光手段と、
前記発光手段から発せられた光を表示画像データに基づいて透過することにより、画像を表示する表示手段と、
を有する表示装置の制御方法であって、
前記表示手段の温度に関する温度情報を取得するステップと、
前記温度情報に基づいて、対象画像データの代表輝度の閾値を決定するステップと、
前記代表輝度が前記閾値よりも低い場合に、前記発光手段の発光輝度を設定輝度から低減するステップと、
前記代表輝度が前記閾値よりも低い場合に、前記対象画像データの階調値を高めて前記表示画像データを生成するステップと、
を有することを特徴とする制御方法である。
【００１１】
本発明の第３の態様は、上述した制御方法の各ステップをコンピュータに実行させるためのプログラムである。本発明の第４の態様は、上述した制御方法の各ステップをコンピュータに実行させるためのプログラムを格納したコンピュータが読み取り可能な記憶媒体である。
【発明の効果】
【００１２】
本発明によれば、表示画像の画質劣化の抑制と表示パネルの温度増加の抑制とを両立できる。
【図面の簡単な説明】
【００１３】
【図１】実施例１に係る液晶表示装置の構成例
【図２】実施例１に係る処理フロー例
【図３】実施例１に係るパネル温度と輝度閾値の対応関係の一例
【図４】実施例１に係る代表輝度と発光輝度の対応関係の一例
【図５】実施例１に係る代表輝度と増加率の対応関係などの一例
【図６】実施例１に係る代表輝度と表示輝度の対応関係の一例
【図７】実施例２に係るパネル温度と第２の閾値の対応関係の一例
【図８】実施例２に係る代表輝度と発光輝度の対応関係などの一例
【図９】実施例２に係る代表輝度と表示輝度の対応関係の一例
【図１０】実施例３に係る液晶表示装置の構成例
【図１１】実施例３に係る対象階調値と表示階調値の対応関係の一例
【図１２】実施例３に係る第１の対象階調値と第１の表示階調値の対応関係の一例
【図１３】実施例３に係る対象階調値と表示階調値の対応関係の一例
【図１４】実施例４に係る液晶表示装置の構成例
【図１５】実施例４に係る制御パターンの一例
【発明を実施するための形態】
【００１４】
＜実施例１＞
以下、本発明の実施例１について説明する。本実施例に係る表示装置は、発光部と、発光部から発せられた光を表示画像データに基づいて透過することにより表示面に画像を表示する表示部とを有する。以下では、液晶表示装置の例を説明する。なお、表示装置は液晶表示装置に限られない。例えば、表示装置は、液晶パネルの代わりにＭＥＭＳ（Ｍｉｃｒｏ  Ｅｌｅｃｔｒｏ  Ｍｅｃｈａｎｉｃａｌ  Ｓｙｓｔｅｍ）シャッタ方式の表示パネルを有していてもよい。表示装置はプロジェクタであってもよい。
【００１５】
図１は、本実施例に係る液晶表示装置１００の構成例を示すブロック図である。液晶表示装置１００は、画像入力部１０１、画像処理部１０２、パネル駆動回路１０３、液晶パネル１０４、バックライト部１０５、バックライト駆動回路１０６、パネル温度検出部１０７、記憶部１０８、及び、制御部１１０を有する。
【００１６】
画像入力部１０１は、不図示の外部装置（撮像装置、再生装置、等）から出力される画像データを取得する。そして、画像入力部１０１は、取得した画像データ（入力画像データ）を画像処理部１０２へ出力する。なお、画像入力部１０１は、記憶部１０８に記録された画像データを、記憶部１０８から取得してもよい。
【００１７】
画像処理部１０２は、画像入力部１０１から出力された入力画像データに所定の処理を施すことにより、対象画像データを生成する。そして、画像処理部１０２は、対象画像データをパネル駆動回路１０３へ出力する。所定の処理は、例えば、デコード処理、解像度変換処理、ぼかし処理、エッジ強調処理、輝度変換処理、色変換処理、等であり、制御部１１０からの指示に応じて行われる。なお、所定の処理が行われずに、入力画像データが対象画像データとして使用されてもよい。
【００１８】
また、画像処理部１０２は、入力画像データや対象画像データから、対象画像データの各画素の輝度を表す輝度データを生成する。そして、画像処理部１０２は、輝度データを制御部１１０へ出力する。入力画像データ、対象画像データ、輝度データ、等のデータフォーマットは特に限定されない。例えば、輝度データは、各画素のＹ値（輝度値）を示すデータであってもよいし、そうでなくてもよい。対象画像データの画素値がＲＧＢ値（Ｒ値，Ｇ値，Ｂ値）＝（Ｒ，Ｇ，Ｂ）である場合には、以下の式を用いて対象画像データのＹ値（輝度値）を算出できる。以下の式において、「α」、「β」、及び、「γ」は、ＲＧＢ値をＹ値に変換するための所定の係数（輝度変換係数）である。例えば、α＝０．２１２６、β＝０．７１５２、γ＝０．０７２２である。対象画像データの画素値がＹＣｂＣｒ値である場合には、演算を行わずに、対象画像データのＹＣｂＣｒ値から対象画像データのＹ値を取得（抽出）できる。
【００１９】
なお、画像処理部１０２は、対象画像データの代表輝度を決定（算出）し、代表輝度を制御部１１０へ通知してもよい。代表輝度は、対象画像データの輝度の代表値（平均値、最大値、最小値、中間値、最頻値、等）である。具体的には、代表輝度は、対象画像データのＹ値の代表値（平均値（ＡＰＬ）、最大値、最小値、中間値、最頻値、等）である。ＡＰＬ（Ａｖｅｒａｇｅ  Ｐｉｃｔｕｒｅ  Ｌｅｖｅｌ）は、対象画像データの各画素のＹ値の総和を総画素数で除算することで算出できる。代表輝度は制御部１１０などで決定されてもよい。
【００２０】
パネル駆動回路１０３は、画像処理部１０２から出力された対象画像データ、制御部１１０からの指示、等に基づいて、表示画像データを生成する。そして、パネル駆動回路１０３は、表示画像データを液晶パネル１０４へ出力する。具体的には、パネル駆動回路１０３は、対象画像データ、制御部１１０からの指示、等に基づいて、表示画像データに対応するパネル駆動信号（電圧や電流）を生成する。そして、パネル駆動回路１０３は、パネル駆動信号を液晶パネル１０４へ供給する。
【００２１】
液晶パネル１０４は、バックライト部１０５から発せられた光を表示画像データに基づいて透過することにより、表示面に画像を表示する。具体的には、パネル駆動回路１０３から液晶パネル１０４の各液晶素子にパネル駆動信号が供給されることにより、各液晶素子の透過率が、パネル駆動信号に応じた透過率に制御される。その状態で、バックライト部１０５から発せられた光が各液晶素子を透過することにより、表示面に画像が表示される。
【００２２】
なお、表示画像データのデータフォーマット、液晶パネル１０４（各液晶素子）の特性、液晶パネル１０４の透過率の制御方法、等は、特に限定されない。例えば、表示画像データの階調値は８ｂｉｔの値（０以上かつ２５５以下の値）であり、所定のガンマカーブに従って、表示画像データの階調値（表示階調値）に対応する透過率に液晶素子の透過率が制御される。ガンマカーブは、表示階調値と液晶パネル１０４の透過率との対応関係を表すカーブ（関数）であり、所定のガンマカーブは、例えば、ガンマ値＝２．２のガンマカーブである。液晶素子の透過率がＸ％に制御されると、液晶素子に照射された光のＸ％が液晶素子を透過する。液晶素子の透過率が０％に制御されると、液晶素子に照射された光が液晶素子で略完全に遮断される（「略」は「完全」を含む）。液晶素子の透過率が１００％に制御されると、液晶素子に照射された光が液晶素子を略完全に透過する。
【００２３】
バックライト部１０５は、液晶パネル１０４の背面に光を照射する。バックライト駆動回路１０６からバックライト部１０５にバックライト駆動信号（電圧や電流）が供給されることにより、バックライト部１０５の発光輝度が、バックライト駆動信号に応じた発光輝度に制御される。具体的には、バックライト部１０５は１つ以上の光源（発光素子）を有し、バックライト駆動信号がバックライト部１０５の光源に供給されることにより、光源の発光輝度が、バックライト駆動信号に応じた発光輝度に制御される。光源として、ＬＥＤ、有機ＥＬ素子、冷陰極管（ＣＣＦＬ）、等を使用できる。
【００２４】
なお、バックライト部１０５の構造は特に限定されない。例えば、バックライト部１０５として、導光板を有するエッジ型バックライト部が使用されてもよい。バックライト部１０５として、液晶パネル１０４の背面に対向するように光源が設けられた直下型バックライト部が使用されてもよい。バックライト部１０５では、光蛍光体や量子ドットなどの励起によって光源の発光色とは異なる色の光が発生してもよい。その場合には、光源から発せられる光（励起を引き起こす光）は、赤色光、緑色光、青色光、シアン色光、マゼンタ色光、イエロー色光、紫外光（近紫外光を含む）、等である。励起によって発生する光は、赤色光、緑色光、青色光、シアン色光、マゼンタ色光、イエロー色光、等である。
【００２５】
バックライト駆動回路１０６は、制御部１１０からの指示などに基づいて、バックライト駆動信号を生成する。そして、バックライト駆動回路１０６は、バックライト駆動信号をバックライト部１０５へ供給する。
【００２６】
バックライト駆動信号の大きさ（パルス振幅など）と、バックライト駆動信号をバックライト部１０５に供給する供給時間（パルス幅など）との少なくとも一方を変更することで、バックライト部１０５の発光輝度を変更できる。バックライト駆動信号の大きさが大きいほど、バックライト部１０５の発光輝度は高い発光輝度に制御される。また、上記供給時間が長いほど、バックライト部１０５の発光輝度は高い発光輝度に制御される。
【００２７】
ここで、バックライト駆動信号であるパルス信号のパルス幅を制御することでバックライト部１０５の発光輝度を制御するＰＷＭ（Ｐｕｌｓｅ  Ｗｉｄｔｈ  Ｍｏｄｕｌａｔｉｏｎ）制御を考える。ＰＷＭ制御では、例えば、デューティ比に対応するＰＷＭ値（レベル値）に応じたバックライト駆動信号が生成される。デューティ比は、所定期間（所定周
期のＰＷＭ期間；例えば１フレーム期間）に対するバックライト部１０５の点灯期間の比率である。ここでは、ＰＷＭ値が０以上かつ４０９５以下の値であるとする。ＰＷＭ値０は、デューティ比０％に対応し、発光輝度の下限（０％；消灯）に対応する。ＰＷＭ値４０９５は、デューティ比１００％に対応し、発光輝度の上限（１００％）に対応する。本実施例では、説明をわかりやすくするために、発光輝度の単位として％を使用し、階調値の単位としても％を使用する。
【００２８】
バックライト部１０５は、ＰＷＭ期間において、ＰＷＭ値に応じた長さの期間に点灯し、それ以外の期間に消灯する。ＰＷＭ値が０の場合には、バックライト部１０５は、ＰＷＭ期間全体に亘って消灯する。ＰＷＭ値が４０９５の場合には、バックライト部１０５は、ＰＷＭ期間全体に亘って点灯する。ＰＷＭ値がそれら以外の場合には、ＰＷＭ期間の一部分が点灯期間となり、ＰＷＭ期間の他の部分が消灯期間となる。
【００２９】
液晶パネル１０４の垂直方向の同期信号であるＶｓｙｎｃ信号のタイミングを１フレームの開始タイミングとすると、ＰＷＭ期間の開始タイミングはＶｓｙｎｃ信号のタイミングに基づいて決定される。ＰＷＭ期間は、バックライト部１０５の点灯期間から始まる期間であってもよいし、バックライト部１０５の消灯期間から始まる期間であってもよい。点灯期間から始まる期間をＰＷＭ期間とする場合には、当該ＰＷＭ期間の開始タイミングからデューティ比（ＰＷＭ値）に応じた長さの期間が点灯期間とされ、当該ＰＷＭ期間の残りの期間が消灯期間とされる。消灯期間から始まる期間をＰＷＭ期間とする場合には、当該ＰＷＭ期間の終了タイミングからデューティ比（ＰＷＭ値）に応じた時間を遡ったタイミングまでの期間が点灯期間とされ、当該ＰＷＭ期間の残りの期間が消灯期間とされる。ここで、ＰＷＭ期間の周波数が６０Ｈｚである場合を考える。バックライト駆動回路１０６は、１／６０秒を４０９５で除算して得られた時間を、ＰＷＭ値が１つ増加したときの点灯期間の増加時間として用いて、設定されたＰＷＭ値に対応する点灯時間（点灯期間の長さ）を決定する。具体的には、バックライト駆動回路１０６は、設定されたＰＷＭ値を上記増加時間に乗算することにより、点灯時間を決定する。フレーム周波数が６０Ｈｚである場合には、ＰＷＭ期間の長さは１フレーム期間の長さと等しくなる。
【００３０】
なお、バックライト部１０５の特性、バックライト部１０５の発光輝度の制御方法、等は特に限定されない。例えば、ＰＷＭ期間において、バックライト部１０５の点灯と消灯が繰り返されてもよい。バックライト部１０５が複数の光源部を有し、バックライト駆動回路１０６が、複数の光源部のそれぞれについて個別にバックライト制御信号を生成してもよい。各光源部は１つ以上の光源を有する。これにより、各光源部の発光輝度が個別に制御可能となる。この場合には、バックライト駆動回路１０６は、複数の定電流回路、複数のＰＷＭ駆動回路、等を用いて構成される。
【００３１】
パネル温度検出部１０７は、液晶パネル１０４の温度に関する温度情報を取得し、取得した温度情報を制御部１１０へ出力する。本実施例では、パネル温度検出部１０７は、液晶パネル１０４の温度を検出するセンサであり、検出値を温度情報として制御部１１０へ出力する。
【００３２】
なお、温度情報は、液晶パネル１０４の温度を示す情報であってもよいし、液晶パネル１０４の温度に関する他の情報であってもよい。例えば、パネル温度検出部１０７は、液晶パネル１０４の温度との関連性の高い温度（バックライト部１０５の温度、バックライト部１０５と液晶パネル１０４の間の温度、等）を検出し、検出値を温度情報として出力してもよい。パネル温度検出部１０７は、液晶パネル１０４の温度との関連性の高い上記温度から液晶パネル１０４の温度を推定し、推定値を温度情報として出力してもよい。パネル温度検出部１０７であるセンサは、例えば、液晶パネル１０４やバックライト部１０５に取り付けられる。温度情報は、温度の値であってもよいし、「高」や「低」などであ
ってもよい。
【００３３】
パネル温度検出部１０７は、液晶表示装置１００における他の情報から液晶パネル１０４の温度を推定し、推定値を温度情報として出力してもよい。他の情報として、例えば、バックライト部１０５の駆動条件（発光輝度、バックライト制御信号、ＰＷＭ値、等）、液晶表示装置１００の駆動時間、及び、代表表示輝度の時間累積値、の少なくともいずれかを使用できる。代表表示輝度は、表示面内の各位置における表示輝度（表示面上の輝度）の代表値であり、例えば、表示面の各位置における表示輝度の平均値、最大値、最小値、中間値、最頻値、等である。
【００３４】
記憶部１０８は、種々の情報を記憶する。例えば、記憶部１０８は、液晶パネル１０４の温度（パネル温度検出部１０７の検出値）と、代表輝度の閾値（輝度閾値）との対応関係を示す温度−閾値情報（テーブルや関数）を記憶する。記憶部１０８は、代表輝度とバックライト部１０５の発光輝度との対応関係を示す代表輝度−発光輝度情報（テーブルや関数）も記憶する。記憶部１０８は、代表輝度と階調値の増加率との対応関係を示す代表輝度−増加率情報（テーブルや関数）も記憶する。これらの情報は、例えば、液晶表示装置１００の製造時などに予め定められる。さらに、記憶部１０８は、後述する各種処理（制御）を行うためのプログラムを記憶する。
【００３５】
制御部１１０は、ＣＰＵやＦＰＧＡ（Ｆｉｅｌｄ  Ｐｒｏｇｒａｍｍａｂｌｅ  Ｇａｔｅ  Ａｒｒａｙ）により構成され、記憶部１０８から読み込んだプログラムを実行することによって後述する各種処理を実現する。
【００３６】
本実施例では、制御部１１０は、パネル温度検出部１０７から出力された温度情報に基づいて、輝度閾値を決定する。そして、対象画像データの代表輝度が輝度閾値よりも低い場合に、制御部１１０は、バックライト部１０５の発光輝度が設定輝度から低減するように、バックライト駆動回路１０６へ指示を出力する。設定輝度は、予め設定された発光輝度であり、メーカによって予め定められた発光輝度、ユーザ操作に応じた発光輝度、対象画像データに基づく発光輝度、等である。本実施例では、設定輝度を１００％とする。また、代表輝度が輝度閾値よりも低い場合に、制御部１１０は、対象画像データの階調値（対象階調値）を高めて表示画像データを生成するように、パネル駆動回路１０３へ指示を出力する。バックライト部１０５の発光輝度が半減する場合には、液晶パネル１０４の透過率が２倍に増すように対象画像データの各階調値を高めることで、表示輝度を略一定に保つことができる。
【００３７】
具体的には、制御部１１０は、温度情報によって示された温度（液晶パネル１０４の温度）に対応する輝度閾値を、温度−閾値情報から取得する。そして、対象画像データの代表輝度が輝度閾値よりも低い場合に、制御部１１０は、当該代表輝度に対応する発光輝度を、代表輝度−発光輝度情報から取得し、取得した発光輝度（またはＰＷＭ値など）を、バックライト駆動回路１０６へ通知する。バックライト駆動回路１０６は、制御部１１０から通知された発光輝度でバックライト部１０５が発光するように、バックライト駆動信号を生成する。また、対象画像データの代表輝度が輝度閾値よりも低い場合に、制御部１１０は、当該代表輝度に対応する増加率を、代表輝度−増加率情報から取得し、取得した増加率を、パネル駆動回路１０３へ通知する。パネル駆動回路１０３は、制御部１１０から通知された増加率で対象画像データの各階調値を高めて表示画像データ（パネル駆動信号）を生成する。
【００３８】
なお、制御部１１０の処理は上記処理に限られない。例えば、複数のフレーム分の対象画像データに基づいて、当該複数のフレームにそれぞれ対応する複数の代表輝度の平均値、最大値、最小値、中間値、最頻値、等が、輝度閾値として決定されてもよい。代表輝度
が対象画像データの平均輝度でない場合には、当該平均輝度、当該平均輝度に所定の係数を乗算した輝度、等が、輝度閾値として決定されてもよい。同様に、代表輝度が対象画像データの最大輝度でない場合には、当該最大輝度などが輝度閾値として決定されてもよい。ユーザによって、代表輝度の種類、輝度閾値の決定方法、等が指定されてもよい。
【００３９】
代表輝度−発光輝度情報の代わりに、液晶パネル１０４の温度（パネル温度検出部１０７の検出値）と、バックライト部１０５の発光輝度との対応関係を示す温度−発光輝度情報（テーブルや関数）が予め用意されてもよい。そして、制御部１１０は、温度情報によって示された温度に対応する発光輝度を、温度−発光輝度情報から取得してもよい。制御部１１０は、発光輝度の低下率を取得し、制御部１１０またはバックライト駆動回路１０６は、取得された低下率で設定輝度を低減することにより、バックライト部１０５の発光輝度を決定してもよい。
【００４０】
代表輝度−増加率情報の代わりに、液晶パネル１０４の温度（パネル温度検出部１０７の検出値）と、増加率との対応関係を示す温度−増加率情報（テーブルや関数）が予め用意されてもよい。そして、制御部１１０は、温度情報によって示された温度に対応する増加率を、温度−増加率情報から取得してもよい。バックライト部１０５の発光輝度と、増加率との対応関係を示す発光輝度−増加率情報（テーブルや関数）が予め用意されてもよい。そして、制御部１１０は、取得した発光輝度に対応する増加率を、発光輝度−増加率情報から取得してもよい。
【００４１】
図２は、制御部１１０の処理フロー例を示すフローチャートである。図２の処理フローは、例えば、液晶表示装置１００の電源を入れる電源ＯＮ操作に応じて開始される。
【００４２】
ステップＳ１１１にて、制御部１１０は、液晶パネル１０４の温度の検出値である温度情報を、パネル温度検出部１０７から取得する。また、制御部１１０は、対象画像データの代表輝度を取得する。本実施例では、制御部１１０は、画像処理部１０２から輝度データを取得し、当該輝度データを用いて、各画素のＹ値の最大値（最大輝度値）を、代表輝度として決定する。
【００４３】
ステップＳ１１２にて、制御部１１０は、ステップＳ１１１の温度情報によって示された温度（液晶パネル１０４の温度；パネル温度）が閾値よりも高いか否かを判断する。液晶パネル１０４の温度が閾値よりも高いと判断された場合は、ステップＳ１１４へ処理が進められ、そうでない場合は、ステップＳ１１３へ処理が進められる。液晶パネル１０４の温度と比較される閾値は特に限定されないが、本実施例では当該閾値が４０℃であるとする。なお、液晶パネル１０４の温度と比較される閾値は、メーカによって予め定められた固定値であってもよいし、そうでなくてもよい。例えば、液晶パネル１０４の温度と比較される閾値は、ユーザによって指定された値（温度）であってもよい。
【００４４】
ステップＳ１１３にて、パネル駆動回路１０３とバックライト駆動回路１０６は通常動作を行う。例えば、パネル駆動回路１０３は、対象画像データを表示画像データとして用い、バックライト駆動回路１０６は、バックライト部１０５の発光輝度を１００％（設定輝度）に制御する。
【００４５】
ステップＳ１１４にて、制御部１１０は、ステップＳ１１１の温度情報によって示された温度（液晶パネル１０４の温度）に対応する輝度閾値を、温度−閾値情報から取得する。図３は、温度−閾値情報によって示された対応関係の一例を示す。図３の対応関係１２０によれば、４０℃から６０℃までの液晶パネル１０４の温度の増加に対して、輝度閾値が０％から６０％まで増加する。そして、液晶パネル１０４の温度が０℃以下である場合には０％が輝度閾値として決定され、液晶パネル１０４の温度が６０℃以上である場合に
は６０％が輝度閾値として決定される。本実施例では、対応関係１２０に従って輝度閾値が決定される。
【００４６】
ステップＳ１１５にて、制御部１１０は、ステップＳ１１１で決定した代表輝度がステップＳ１１４で取得した輝度閾値よりも低いか否かを判断する。代表輝度が輝度閾値よりも低いと判断された場合は、ステップＳ１１７へ処理が進められ、そうでない場合は、ステップＳ１１６へ処理が進められる。これにより、液晶パネル１０４の温度が閾値よりも高く且つ代表輝度が輝度閾値よりも低い場合に、バックライト部１０５の発光輝度が設定輝度から低減されることとなる。なお、液晶パネル１０４の温度が閾値よりも高いか否かに依らずに、代表輝度が輝度閾値よりも低い場合にバックライト部１０５の発光輝度が設定輝度から低減されてもよい。
【００４７】
ステップＳ１１６の処理は、ステップＳ１１３の処理と同じである。
【００４８】
ステップＳ１１７にて、制御部１１０は、ステップＳ１１１で決定した代表輝度に対応する発光輝度を、代表輝度−発光輝度情報から取得する。図４は、代表輝度と、バックライト部１０５の発光輝度との対応関係の一例を示す。図４の対応関係１２２によれば、６０％から０％までの代表輝度の低下に対して、バックライト部１０５の発光輝度（発光輝度比率）が１００％から０％まで低下する。代表輝度３６％の場合には、発光輝度６０％が決定される。本実施例では、対応関係１２２に従って発光輝度が決定される。
【００４９】
ステップＳ１１８にて、制御部１１０は、ステップＳ１１１で決定した代表輝度に対応する増加率を、代表輝度−増加率情報から取得する。図５（Ａ）は、代表輝度と増加率の対応関係の一例を示す。図５（Ａ）の対応関係１２３によれば、６０％からの代表輝度の低下に対して、増加率が１から増加する。本実施例では、対応関係１２３に従って増加率が決定される。代表輝度３６％の場合には、バックライト部１０５の発光輝度が１００％から６０％に低減されるため、増加率１．６７（＝１００／６０）が取得される。バックライト部１０５の発光輝度が１００％である場合には、図５（Ｂ）の対応関係１２４が実現される。対応関係１２４によれば、対象階調値がそのまま表示階調値とされる。バックライト部１０５の発光輝度が１００％から６０％に低減された場合には、増加率１．６７により、図５（Ｂ）の対応関係１２５が実現される。対応関係１２５によれば、対象階調値６０％が表示階調値１００％に変換される。
【００５０】
なお、対応関係１２５によれば、６０％よりも大きい対象階調値は、表示階調値１００％に変換される（階調値のクリップ；階調値の飽和）。しかしながら、対応関係１２５は、代表輝度（最大輝度値）３６％の場合の対応関係であるため、階調値の飽和は生じない。
【００５１】
ステップＳ１１９にて、制御部１１０は、ステップＳ１１７で取得した発光輝度をバックライト駆動回路１０６へ通知し、ステップＳ１１８で取得した増加率をパネル駆動回路１０３へ通知する。その後、バックライト駆動回路１０６は、バックライト部１０５の発光輝度を、ステップＳ１１５で取得された発光輝度に制御する。パネル駆動回路１０３は、対象画像データの各階調値をステップＳ１１６で取得された増加率で高めて表示画像データを生成する。そして、パネル駆動回路１０３は、生成した表示画像データに基づいて液晶パネル１０４の透過率を制御する。
【００５２】
ステップＳ１２０にて、制御部１１０は、液晶表示装置１００の電源を切る電源ＯＦＦ操作が行われたか否かを判断する。電源ＯＦＦ操作が行われたと判断された場合は、本処理フローが終了され、そうでない場合は、ステップＳ１１１へ処理が戻される。
【００５３】
図２の処理フローにより、代表輝度が６０％（輝度閾値の最大値）以上である場合には、輝度再現性が極めて高い表示画像（表示面に表示された画像）を得ることができる。例えば、図６の対応関係１２６のように、代表輝度を、当該代表輝度と完全に等しい輝度で表示できる。対象画像データの他の輝度についても、当該輝度と完全に等しい表示輝度を実現できる。代表輝度が６０％よりも低い場合には、バックライト部１０５の発光輝度が低減されることがあるが、バックライト部１０５の発光輝度の低下による表示輝度の低下が、対象階調値の増加によって抑制される。そのため、代表輝度が６０％未満である場合にも、輝度再現性が高い表示画像を得ることができる。例えば、図６の対応関係１２７のように、代表輝度を、当該代表輝度と略等しい輝度で表示できる。対象画像データの他の輝度についても、当該輝度と略等しい表示輝度を実現できる。
【００５４】
以上述べたように、本実施例によれば、温度情報（液晶パネル１０４の温度）に基づいて輝度閾値が決定される。そして、対象画像データの代表輝度が輝度閾値よりも低い場合に、バックライト部１０５の発光輝度が設定輝度から低減される。これにより、液晶パネル１０４の温度増加を抑制でき、液晶パネル１０４の劣化や故障を抑制できる。そして、対象画像データの代表輝度が輝度閾値よりも低い場合に、対象画像データの階調値を高めて表示画像データが生成される。これにより、表示画像の画質劣化も抑制できる。即ち、本実施例によれば、表示画像の画質劣化の抑制と液晶パネル１０４の温度増加の抑制とを両立できる。
【００５５】
なお、各種対応関係は、上述した対応関係に限られない。例えば、液晶パネル１０４の温度特性や放熱性能に基づいて、液晶パネル１０４の温度と輝度閾値との対応関係が決定されてもよい。
【００５６】
＜実施例２＞
以下、本発明の実施例２について説明する。本実施例では、液晶パネルの温度を下がりやすくする例を説明する。なお、以下では、実施例１の輝度閾値を「第１の閾値」と記載する。また、実施例１と異なる点（構成や処理）について詳しく説明し、実施例１と同じ点についての説明は省略する。
【００５７】
本実施例では、図２のステップＳ１１１〜Ｓ１１３，Ｓ１１５，Ｓ１１９，Ｓ１２０にて、実施例１と同じ処理が行われる。ステップＳ１１４にて、実施例１と同様に、図３の対応関係１２０に従って第１の閾値が決定される。さらに、制御部１１０は、温度情報に基づいて、代表輝度の閾値である第２の閾値を決定する。第２の閾値は、第１の閾値よりも低い。本実施例では、図７の対応関係２２２に従って第２の閾値が決定される。対応関係２２２によれば、４０℃から６０℃までの液晶パネル１０４の温度の増加に対して、第２の閾値が０％から１０％まで増加する。そして、液晶パネル１０４の温度が０℃以下である場合には０％が第２の閾値として決定され、液晶パネル１０４の温度が６０℃以上である場合には１０％が第２の閾値として決定される。
【００５８】
ステップＳ１１７にて、制御部１１０は、代表輝度が第２の閾値よりも低い場合に下限発光輝度（バックライト部１０５の発光輝度の下限）が決定されるように、代表輝度に応じてバックライト部１０５の発光輝度を決定する。本実施例では、図８（Ａ）の対応関係２２４に従って発光輝度が決定される。対応関係２２４によれば、６０％から１０％までの代表輝度の低下に対して、バックライト部１０５の発光輝度が１００％から０％まで低下する。そして、代表輝度が１０％以下である場合には０％がバックライト部１０５の発光輝度として決定される。本実施例では、代表輝度４０％の場合に、バックライト部１０５の発光輝度が１００％から６０％に低減される。なお、下限発光輝度は、バックライト部１０５の消灯に対応してもよいし、バックライト部１０５の点灯に対応する発光輝度の下限であってもよい。
【００５９】
ステップＳ１１８にて、制御部１１０は、実施例１と同様の方法で増加率を決定する。但し、本実施例では、決定される増加率が実施例１と異なる。例えば、代表輝度４０％の場合に、図８（Ｂ）の対応関係２２６を実現する増加率１．５が決定される。本実施例では、式「対象階調値×増加率＋第２の閾値」により表示階調値が算出される。対応関係２２６によれば、０％から６０％までの対象階調値の増加に対して、表示階調値が１０％から１００％まで増加する。
【００６０】
なお、対応関係２２６によれば、６０％よりも大きい対象階調値は、表示階調値１００％に変換される（階調値のクリップ；階調値の飽和）。しかしながら、対応関係２２６は、代表輝度（最大輝度値）４０％の場合の対応関係であるため、階調値の飽和は生じない。
【００６１】
図８（Ａ）の対応関係２２４によれば、実施例１よりも低い発光輝度が決定される。そのため、本実施例では、図８（Ｂ）の対応関係２２６のように、実施例１よりも高い表示階調値に対象階調値を変換する。即ち、実施例１よりも高い透過率に液晶パネル１０４の透過率を制御する。それにより、バックライト部１０５の発光輝度の低下による表示輝度の低下を高精度に抑制できる。
【００６２】
本実施例でも、図２の処理フローにより、代表輝度が６０％（輝度閾値の最大値）以上である場合には、輝度再現性が極めて高い表示画像（表示面に表示された画像）を得ることができる。例えば、図９の対応関係２２７のように、代表輝度を、当該代表輝度と完全に等しい輝度で表示できる。対象画像データの他の輝度についても、当該輝度と完全に等しい表示輝度を実現できる。代表輝度が６０％未満かつ１０％（第２の閾値）以上である場合には、バックライト部１０５の発光輝度が低減されることがあるが、バックライト部１０５の発光輝度の低下による表示輝度の低下が、対象階調値の増加によって抑制される。そのため、代表輝度が６０％未満かつ１０％以上である場合にも、輝度再現性が高い表示画像を得ることができる。例えば、図９の対応関係２２８のように、代表輝度を、当該代表輝度と略等しい輝度で表示できる。対象画像データの他の輝度についても、当該輝度と略等しい表示輝度を実現できる。
【００６３】
さらに、本実施例では、代表輝度が１０％未満である場合には、バックライト部１０５の発光輝度が０％に低減され、図９の対応関係２２９のように表示輝度０％が実現される。バックライト部１０５の発光輝度が０％に低減されることで、液晶パネル１０４の温度が実施例１よりも下がりやすくなる。暗い画像の視認性はもともと低いため、表示輝度が０％になることによる問題は生じ難い。
【００６４】
以上述べたように、本実施例によれば、実施例１と同様に、表示画像の画質劣化を抑制できる。さらに、本実施例によれば、対象画像データの代表輝度が第２の閾値よりも低い場合に、バックライト部１０５の発光輝度が下限発光輝度へ低減される。それにより、液晶パネル１０４の温度が実施例１よりも下がりやすくなる。
【００６５】
＜実施例３＞
以下、本発明の実施例３について説明する。本実施例では、液晶表示装置が複数の液晶パネルを有する例を説明する。なお、以下では、実施例１，２と異なる点（構成や処理）について詳しく説明し、実施例１，２と同じ点についての説明は省略する。
【００６６】
図１０は、本実施例に係る液晶表示装置３００の構成例を示すブロック図である。液晶表示装置３００は、画像入力部３０１、画像処理部３０２、第１のパネル駆動回路３０３、第１の液晶パネル３０４、バックライト部３０５、バックライト駆動回路３０６、パネ
ル温度検出部３０７、記憶部３０８、及び、制御部３１０を有する。さらに、液晶表示装置３００は、第２のパネル駆動回路３１１と第２の液晶パネル３１２を有する。
【００６７】
画像入力部３０１は、実施例１，２の画像入力部１０１と同様の機能を有する。画像処理部３０２は、実施例１，２の画像処理部１０２と同様の機能を有する。但し、画像処理部３０２は、対象画像データとして、第１の対象画像データと第２の対象画像データを生成する。そして、画像処理部３０２は、第１の対象画像データを第１のパネル駆動回路３０３へ出力し、第２の対象画像データを第２のパネル駆動回路３１１へ出力する。
【００６８】
第１のパネル駆動回路３０３と第２のパネル駆動回路３１１とのそれぞれは、実施例１，２のパネル駆動回路１０３と同様の機能を有する。第１のパネル駆動回路３０３は、第１の対象画像データなどに基づいて第１の表示画像データを生成し、第１の表示画像データを第１の液晶パネル３０４へ出力する。第２のパネル駆動回路３１１は、第２の対象画像データなどに基づいて第２の表示画像データを生成し、第２の表示画像データを第２の液晶パネル３１２へ出力する。
【００６９】
第１の液晶パネル３０４と第２の液晶パネル３１２とのそれぞれは、実施例１，２の液晶パネル１０４と同様の機能を有する。第１の液晶パネル３０４は、バックライト部３０５から発せられて光を第１の表示画像データに基づいて透過する。第２の液晶パネル３１２は、バックライト部３０５から発せられて第１の液晶パネル３０４を透過した光を、第２の表示画像データに基づいて透過することにより、表示面に画像を表示する。本実施例では、説明をわかりやすくするために、図１１に示すように、第１の表示階調値（第１の表示画像データの階調値）と第２の表示階調値（第２の表示画像データの階調値）との和が、実施例１，２の表示階調値に対応するとする。即ち、第１の液晶パネル３０４と第２の液晶パネル３１２の組み合わせを実施例１，２の液晶パネル１０４とみなした場合には、液晶パネル１０４の透過率が、合成階調値（第１の表示階調値と第２の表示階調値の和）に応じた透過率に制御される。図１１において、対応関係３２１は、第１の対象階調値（第１の対象画像データの階調値）と第１の表示階調値との対応関係であり、対応関係３２２は、第２の対象階調値（第２の対象画像データの階調値）と第２の表示階調値との対応関係である。対応関係３２３は、対応関係３２１と対応関係３２２の和である合成対応関係であり、実施例１，２の対象階調値と実施例１，２の表示階調値との対応関係に対応する。対応関係３２１〜３３３は、バックライト部３０５の発光輝度が１００％である場合の対応関係である。
【００７０】
バックライト部３０５は、実施例１，２のバックライト部１０５と同様の機能を有する。パネル温度検出部３０７は、実施例１，２のパネル温度検出部１０７と同様の機能を有する。本実施例では、パネル温度検出部３０７は、第１の液晶パネル３０４の温度を検出するセンサであり、検出値を温度情報として制御部３１０へ出力する。なお、パネル温度検出部３０７は、第２の液晶パネル３１２の温度を検出してもよいし、第１の液晶パネル３０４と第２の液晶パネル３１２の平均温度を検出してもよい。第１の液晶パネル３０４と第２の液晶パネル３１２を含む表示部の温度に関する情報が、温度情報として取得できればよい。記憶部３０８は、実施例１，２の記憶部１０８と同様の機能を有する。制御部３１０は、実施例１，２の制御部１１０と同様の機能を有する。
【００７１】
制御部３１０の処理フロー例について、図２を用いて説明する。ステップＳ１１１〜Ｓ１１７，Ｓ１２０の処理は、実施例１と同じである（図３の対応関係１２０および図４の対応関係１２２）。本実施例では、第１の対象画像データと第２の対象画像データの少なくとも一方に対応する代表輝度が使用される。第１の対象画像データと第２の対象画像データの一方にのみ対応する代表輝度が使用されてもよいし、両方に対応する代表輝度が使用されてもよい。第１の対象画像データの代表輝度と第２の対象画像データの代表輝度と
の平均値や中間値が使用されてもよい。入力画像データの代表輝度が使用されてもよい。
【００７２】
ステップＳ１１８にて、制御部１１０は、実施例１，２と同様の方法で、第１の対象階調値を増加させる増加率を決定する。図４の対応関係１２２によれば、代表輝度４８％の場合に、発光輝度８０％が決定される。そして、本実施例では、代表輝度４８％の場合に、図１２の対応関係３２８を実現する増加率が取得される。第１の対象階調値０％から第１の対象階調値６０％までの範囲については、０％から６０％までの第１の対象階調値の増加に対して第１の表示階調値を０％から９０％まで増加させる増加率１．５が取得される。第１の対象階調値６０％から第１の対象階調値１００％までの範囲については、６０％から１００％までの第１の対象階調値の増加に対して第１の表示階調値を９０％から１００％まで増加させる増加率０．２５が取得される。第１の対象階調値０％から第１の対象階調値６０％までの範囲については、第１の対象階調値に増加率を乗算することで、第１の表示階調値を算出できる。第１の対象階調値６０％から第１の対象階調値１００％までの範囲については、式「（第１の対象階調値−６０％）×第１の増加率＋９０％」により第１の表示階調値を算出できる。
【００７３】
ステップＳ１１８の処理により、第１の液晶パネル３０４と第２の液晶パネル３１２の組み合わせを実施例１，２の液晶パネル１０４とみなした場合には、図１３の合成対応関係３２９が実現されることとなる。バックライト部１０５の発光輝度８０％と合成対応関係３２９とによれば、６０％以下の表示輝度は、バックライト部１０５の発光輝度１００％と合成対応関係３２３とによる表示輝度と略一致する。
【００７４】
ステップＳ１１９にて、制御部３１０は、ステップＳ１１７で取得した発光輝度をバックライト駆動回路３０６へ通知し、ステップＳ１１８で取得した増加率を第１のパネル駆動回路３０３へ通知する。その後、バックライト駆動回路３０６は、バックライト部３０５の発光輝度を、ステップＳ１１７で取得された発光輝度８０％に制御する。第１のパネル駆動回路３０３は、第１の対象画像データの各階調値をステップＳ１１７で取得された増加率で高めて第１の表示画像データを生成する。そして、第１のパネル駆動回路３０３は、生成した第１の表示画像データに基づいて第１の液晶パネル３０４の透過率を制御する。第２のパネル駆動回路３１１は、第２の対象画像データを第２の表示画像データとして用いて、第１の液晶パネル３０４の透過率を制御する。
【００７５】
本実施例でも、図２の処理フローによる効果として、実施例１と同様の効果が得られる。具体的には、図６に示すように、代表輝度が６０％以上である場合には、輝度再現性が極めて高い表示画像（表示面に表示された画像）を得ることができる。代表輝度が６０％未満である場合にも、輝度再現性が高い表示画像を得ることができる。
【００７６】
以上述べたように、本実施例によれば、複数の液晶パネルを有する液晶表示装置において、実施例１，２と同様の処理により、実施例１，２と同様の効果を得ることができる。
【００７７】
なお、本実施例では、第１の対象画像データの階調値が高められて第１の表示画像データが生成される例を説明したが、第２の対象画像データの階調値が高められて第２の表示画像データが生成されてもよい。第１の対象画像データの階調値を高めて第１の表示画像データを生成する処理と、第２の対象画像データの階調値を高めて第２の表示画像データを生成する処理との一方が行われてもよいし、両方が行われてもよい。
【００７８】
＜実施例４＞
以下、本発明の実施例４について説明する。本実施例では、外光輝度（外光の輝度）と環境温度（液晶表示装置の外部環境の温度）とを考慮して液晶パネルの温度上昇を高精度に抑制する例を説明する。なお、以下では、実施例１，２と異なる点（構成や処理）につ
いて詳しく説明し、実施例１，２と同じ点についての説明は省略する。
【００７９】
図１４は、本実施例に係る液晶表示装置４００の構成例を示すブロック図である。液晶表示装置４００は、図１の各機能部、外光検出部４１３、及び、環境温度検出部４１４を有する。
【００８０】
外光検出部４１３は、液晶表示装置４００への外光の輝度（外光輝度）に関する外光輝度情報を取得し、取得した外光輝度情報を制御部１１０へ出力する。本実施例では、外光検出部４１３は、外光輝度を検出するセンサであり、検出値を外光輝度情報として制御部１１０へ出力する。なお、外光輝度を検出するセンサは液晶表示装置４００に着脱可能であり、外光検出部４１３は、当該センサから検出値を取得する機能部であってもよい。外光輝度情報は、輝度の値であってもよいし、「高」、「低」、「外光無し」、等であってもよい。
【００８１】
環境温度検出部４１４は、液晶表示装置４００の外部環境の温度（環境温度）に関する環境温度情報を取得し、取得した環境温度情報を制御部１１０へ出力する。本実施例では、環境温度検出部４１４は、環境温度を検出するセンサであり、検出値を環境温度情報として制御部１１０へ出力する。なお、環境温度を検出するセンサは液晶表示装置４００に着脱可能であり、環境温度検出部４１４は、当該センサから検出値を取得する機能部であってもよい。環境温度情報は、温度の値であってもよいし、「高」や「低」などであってもよい。
【００８２】
本実施例では、制御部１１０は、温度情報（液晶パネル１０４の温度）、外光輝度情報、及び、環境温度情報に基づいて、輝度閾値を決定する。具体的には、図１５に示すように輝度閾値が決定される。
【００８３】
パネル温度（液晶パネル１０４の温度）が４０℃であり、環境温度が２５℃であり、外光が無い場合には、パネル温度が上昇することは略無い。そのため、図１５の制御パターン０のように、０％が輝度閾値として決定される。輝度閾値０％が決定されると、バックライト部１０５の発光輝度の低減などの制御は行われない。
【００８４】
パネル温度が４０℃であり、環境温度が２５℃であり、外光輝度が低い場合には、パネル温度が上昇する可能性がある。そのため、実施例１（図３の対応関係１２０）ではパネル温度４０℃に応じて輝度閾値０％が決定されるが、本実施例では、図１５の制御パターン１のように、３０％が輝度閾値として決定される。
【００８５】
同様に、パネル温度が６０℃であり、環境温度が２５℃であり、外光輝度が低い場合にも、パネル温度が上昇する可能性がある。そのため、実施例１ではパネル温度６０℃に応じて輝度閾値６０％が決定されるが、本実施例では、図１５の制御パターン２のように、７０％が輝度閾値として決定される。
【００８６】
パネル温度が５０℃であり、環境温度が３５℃であり、外光輝度が高い場合には、パネル温度が上昇する可能性が高い。そのため、実施例１ではパネル温度５０℃に応じて輝度閾値３０％が決定されるが、本実施例では、図１５の制御パターン３のように、６０％が輝度閾値として決定される。
【００８７】
以上述べたように、本実施例によれば、外光輝度と環境温度をさらに考慮して輝度閾値が決定される。それにより、液晶パネル１０４の温度上昇を高精度に抑制できる。なお、外光輝度と環境温度の一方のみが考慮されてもよい。
【００８８】
実施例１〜４の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【００８９】
実施例１〜４はあくまで一例であり、本発明の要旨の範囲内で実施例１〜４の構成を適宜変形したり変更したりすることにより得られる構成も、本発明に含まれる。実施例１〜４の構成を適宜組み合わせて得られる構成も、本発明に含まれる。
【００９０】
例えば、バックライト部の発光輝度が設定輝度から低減されるタイミング以前のタイミングで、当該低減を許可するか否かをユーザに確認してもよい。換言すれば、バックライト部の発光輝度が低減されるタイミングで、上記確認を行ってもよい。または、バックライト部の発光輝度が低減されるタイミングよりも前のタイミングで、上記確認を行ってもよい。そして、発光輝度の低減が許可された場合に限って、当該低減を行ってもよい。
【００９１】
バックライト部の発光輝度が設定輝度から低減されるタイミングよりも前のタイミングで、バックライト部の発光輝度が設定輝度から低減される可能性があることなどを、ユーザに通知してもよい。その場合は、上記確認がさらに行われてもよいし、行われなくてもよい。
【００９２】
バックライト部の発光輝度が設定輝度から低減されるタイミングよりも前の上記タイミングは、例えば、以下のタイミングである。（３）のタイミングを判断するために、環境温度に関する情報を取得してもよい。（４）のタイミングを判断するために、内部温度に関する情報を取得してもよいし、液晶パネルの温度に関する温度情報を使ってもよい。
（１）バックライト部の発光輝度が低減されるタイミングから所定時間を遡ったタイミング
（２）液晶パネルの温度が閾値を超える可能性がある駆動条件（閾値以上の発光輝度が設定輝度となる表示輝度設定など）に液晶表示装置の駆動条件が切り替わったタイミング
（３）液晶表示装置の外部環境の温度（環境温度）が閾値を超えたタイミング
（４）液晶表示装置の内部温度が閾値を超えたタイミング
【００９３】
液晶表示装置の内部温度が液晶パネルの温度が閾値を超える可能性がある駆動条件で液晶表示装置が駆動されている場合に限って上記確認を行ってもよいし、そうでなくてもよい。ユーザに対する種々の確認や通知は、画面表示、音声出力、ランプ点灯、等によって実現される。
【００９４】
発光輝度の低減が許可されなかった場合に、液晶パネルの温度が当該液晶パネルの定格温度に達するまでの残り時間（見込み時間）をユーザに通知してもよい。定格温度に達するまでの残り時間は、例えば、表示輝度設定、対象画像データ（代表輝度など）、等に基づいて判断される。
【００９５】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００９６】
１００，３００，４００：液晶表示装置  １０３：パネル駆動回路
１０４：液晶パネル  １０５，３０５：バックライト部
１０６，３０６：バックライト駆動回路  １０７，３０７：パネル温度検出部
１１０，３１０：制御部
３０３：第１のパネル駆動回路  ３０４：第１の液晶パネル
３１１：第２のパネル駆動回路  ３１２：第２の液晶パネル
【図１】
2019144307.tif 000003
【図２】
2019144307.tif 000004
【図３】
2019144307.tif 000005
【図４】
2019144307.tif 000006
【図５】
2019144307.tif 000007
【図６】
2019144307.tif 000008
【図７】
2019144307.tif 000009
【図８】
2019144307.tif 000010
【図９】
2019144307.tif 000011
【図１０】
2019144307.tif 000012
【図１１】
2019144307.tif 000013
【図１２】
2019144307.tif 000014
【図１３】
2019144307.tif 000015
【図１４】
2019144307.tif 000016
【図１５】
2019144307.tif 000017